(57)【特許請求の範囲】
【請求項１】
脚が床に固設され、不使用時には、座の後部側が上昇するとともに前部側が背もたれ寄
りに移動して格納される椅子において、床に立設した中央支柱の脚の上端に受台を回動可
能に取付け、該受台と座とを、前リンクと後リンクで格納時座が水平線に対し３０ないし
９０度に傾斜するように４点リンクを形成して連結し、背もたれを該受台に前後方向へ回
動可能に連結するとともに該前リンクまたは該後リンクに連結し、かつ、この連結部は長穴とし、着座のときは格納された状態から座の後部側が下降しつつ前部側が前方へ移動するとともに背もたれが後方へ傾斜するようにしたことを特徴とする格納椅子。
【請求項２】
前記背もたれの該受台との取付部にバネまたは弾性体を設けて、ベンデイング可能とし
たことを特徴とする請求項１に記載の格納椅子。
【請求項３】
前記受台は、脚に前後方向へスライド可能に取付け、不使用時は戻しバネで前方へ格納
されることを特徴とする請求項１または請求項２のいずれかに記載の格納椅子。
【請求項４】
前記受台に、不使用時は戻しバネで背もたれに沿うように格納される肘掛を設けたこと
を特徴とする請求項１ないし請求項３に記載の格納椅子。
【発明の詳細な説明】
【技術分野】
【０００１】
本発明は、脚が床に固設され、不使用時には、座の後部側が上昇するとともに前部側が背もたれ寄りに移動して格納される椅子に関するものである。
【背景技術】
【０００２】
例えば、遊技場では、横に並んだ多数の遊技台に向かって、床に固設された中央支柱の椅子が並べられ、背中合わせに着座してその間を通路としている。この通路は一般に狭く、また、着座するときは、遊技台の前の狭いところへ入り込まなければならない。
そこで、不使用時には、座の後部側が上昇するとともに前部側が背もたれ寄りに移動して格納されるようにした椅子がある（例えば、特許文献１参照）。
【０００３】
一方、講義室用椅子や劇場用椅子は、不使用時には、人が前部または背部を通れるように、座を起立させて格納するようにしている。一般的には座の先端側が跳ね上がる形式のものが多いが、座の後部側が上昇するとともに前部側が背もたれ寄りに移動して格納されるものもある（特許文献２および特許文献３参照）。
【先行技術文献】
【特許文献】
【０００４】
【特許文献１】実開平６−１３５９５号公報
【特許文献２】特許第２９２７７１２号公報
【特許文献３】特開２００９−１７９２７号公報
【発明の開示】
【発明が解決しようとする課題】
【０００５】
特許文献１に示す椅子は、不使用時には座の後部側が上昇するとともに前部側が背もたれ寄りに移動して格納されるので、椅子の前部と背部にスペースでき、通行し易くなるとともに、着座しやすいものとなるように意図されている。
しかしながら、この格納椅子は、不使用時における座の傾斜角度が１５度以下であり、前部と背部のスペースは、格納された状態でも、さほど増えない。また、座と背もたれが一体であるので、格納された状態では見栄えが悪く、また、座り心地の点でも長時間着座するには適したものとはいえない。
【０００６】
一方、特許文献２および特許文献３に示す椅子は、不使用時は、座を畳むとともに背もたれと一体の脚を前方へ傾斜させるように構成されており、背部に広いスペースを確保できる。
しかしながら、この種の椅子は、脚を傾動させるようにしているので、座を回動させることができないという難点がある。
すなわち、脚が床に固設され、不使用時には、前方または後方にスペースを持たせるため格納できるようにした椅子においては、狭いところで使用されることから、座を回動させて横からも着座できるようにすることが求められている。また、高さも変えることができないので、体格差によって調整できない。さらには、ベンデイングができないとか、肘掛がないとか、座り心地の点からも改善が望まれている。
【０００７】
そこで、本発明は、座を回転させて横から着座することができ、しかも、不使用時は前部と背部に多くのスペースが得られ、かつ、座り心地のよい格納椅子を提供することを目的としている。
【課題を解決するための手段】
【０００８】
上記の目的を解決するため、本発明の格納椅子は、次のように構成した。すなわち、
脚が床に固設され、不使用時には、座の後部側が上昇するとともに前部側が背もたれ寄
りに移動して格納される椅子において、床に立設した中央支柱の脚の上端に受台を回動可
能に取付け、該受台と座とを、前リンクと後リンクで格納時座が水平線に対し３０ないし
９０度に傾斜するように４点リンクを形成して連結し、背もたれを該受台に前後方向へ回
動可能に連結するとともに該前リンクまたは該後リンクに連結し、かつ、この連結部は長穴とし、着座のときは格納された状態から座の後部側が下降しつつ前部側が前方へ移動するとともに背もたれが後方へ傾斜するようにしたことを特徴としている。
【０００９】
ここで、前部、前方、という用語は、着座者の向いている方を指すこととして使用している。
座は背もたれと別体であり、それぞれ中央支柱の脚に回動可能に取付けられた受台に取付ける。座を回動可能とする手段は、従来使用されているものでよく、特に限定しない。また、脚は、高さを伸縮でき、座の高さ位置を調節できるとよい。
座は、前リンクと後リンクで格納時座が水平線に対し３０ないし９０度に傾斜するように４点リンクを形成して連結する。３０度以下では格納時における椅子前方のスペースが小さく効果が期待できるものではない。なお、前リンクおよび後リンクという称呼は、椅子を側面から見て前側にあるリンクを前リンク、後側にあるリンクを後リンクとして用いている。
背もたれは、受台に前後方向へ回動可能に連結するとともに、着座時は後方へ回動するように前リンクまたは後リンクに連結する。回動する角度は、座り心地を考慮して適宜定める。
【００１０】
背もたれと前リンクまたは後リンクとの連結は、座と背もたれの回動に伴う支点からの
距離が変化するので、連結部を長穴とする。なお、リンク機構は、離席したときには戻しバネで自動的に格納状態へ復帰するように構成する。
また、背もたれは、受台に回動可能に取付けられるとともに、該取付部にバネまたは弾
性体を設け、ベンデイング可能とする（請求項２）とよい。また、受台は、脚に前後方向
へスライド可能に取付け、不使用時は戻しバネで前方へ格納される（請求項３）ようにす
るとよい。また、受台に、不使用時は戻しバネで背もたれに沿うように格納される肘掛を
設ける（請求項４）とよい。
【発明の効果】
【００１１】
本発明の格納椅子は、床に立設した中央支柱の脚の上端に受台を回動可能に取付け、該
受台と座とを、前リンクと後リンクで格納時座が水平線に対し３０ないし９０度に傾斜す
るように４点リンクを形成して連結し、背もたれを該受台に前後方向へ回動可能に連結す
るとともに前リンクまたは後リンクに連結し、かつ、この連結部は長穴としたので、従来に比べ、不使用時はコンパクトに格納され、前部および背部のスペースを大きくできる。しかも、回動させて横や後ろから離着席することができる。
【００１２】
請求項２に記載のように、背もたれの受台との取付部にバネまたは弾性体を設けて、ベ
ンデイング可能とすれば、座り心地が格段に良くなる。また、請求項３に記載のように、
受台を脚に前後方向へスライド可能に取付け、不使用時は戻しバネで前方へ格納するよう
にすれば、テーブルや遊技台との間隔を体格差があっても適宜なものでき、格納時は、背
部のスペースをさらに大きくできる。
また、請求項４に記載のように、不使用時は戻しバネで背もたれに沿うように格納される
肘掛を受台に設ければ、例えば、パソコンにおけるマウス操作や、遊技台における球の操
作が疲れ難く長時間行うことが可能となる。
【図面の簡単な説明】
【００１３】
【図１】本発明の格納椅子の実施の形態を示す斜視図で、格納時の姿勢を示す。
【図２】同、各構成部品の分解斜視図である。
【図３】同、着座時の椅子の姿勢を示す斜視図である。
【図４】同、（ａ）は、格納時の状態を示す側面図、（ｂ）は、着座時への途中の状態を示す側面図、（ｃ）は、着座時の状態を示す側面図である。
【図５】同、図４における（ａ）（ｂ）（ｃ）のリンクの作動を示す説明図である。
【図６】同、図４の（ａ）（ｂ）のリンク作動における連結リンク７の状態を示す側面図である。
【図７】同、別の実施の形態のリンク機構を示す説明図で、図５に対応するものである。
【図８】同、ベンデイング機構が付設された椅子の側面図である。
【図９】同、背もたれの作動状態を説明するための側面図である。
【図１０】同、弾性体で構成した場合の側面図である。
【図１１】同、座のスライド機構を説明するための説明図である。
【図１２】同、スライド機構が作動したときの状態を示す側面図である。
【図１３】同、肘掛の取り付けを示す分解斜視図である。
【図１４】同、格納状態と着座時状態の比較図である。
【発明を実施するための形態】
【００１４】
本発明の格納椅子の実施の形態を、遊技場に適用した例で、説明する。
図１は、本発明の椅子が不使用である場合の姿勢を示す斜視図であり、図２は、その構成部品を示す分解斜視図である。また、図３は、着座時の姿勢を示す斜視図である。
この椅子は、床に固設された中央支柱の脚３の上端に受台４を回動可能に取付け、これに、座１を前リンク５と後リンク６とで４点リンクを形成して連結し、背もたれ２を前後方向へ回動可能に取付けている。そして、前リンク５と背もたれ２とを連結リンク７で連結している。
【００１５】
座１は、座フレーム１ａに座マット１ｂを取付けたもので、座フレーム１ａには、ピン穴１ｄ、１ｅを有するブラケット１ｃが固設されている。
受台４は、脚３に回動可能に取付けられている。この構成については、ここでは、公知の構成を使用しており、説明は省略する。なお、受台４の回動は、ここでは、左右に１８０度までとし、不使用時はバネで自動復帰するように構成している。
受台４には、前部に肘掛２０を取付けるための肘掛支持穴４ｄが、後部の上側には後リンク６と連結するためのピン穴４ｂが、後部の下側には前リンク５と連結するためのピン穴４ａと、背もたれ２の下端部と連結するための支持穴４ｃが設けられている。
【００１６】
背もたれ２は、略く字状に形成した背フレーム２ａに背マットが取付けられ（図示してない）、下端部には、ピン穴２ｃを有する接続金具２ｂが取付けられている。
前リンク５は、上端部にピン穴５ｃが設けられ、下端部にはピン穴５ａとピン穴５ｂが設けられている。ピン穴５ｃは、座１のピン穴１ｄとピン１３で連結され、ピン穴５ａは、受台４のピン穴４ａとピン１２で連結されている。
後リンク６は、上端部にピン穴６ｂが設けられ、下端部にはピン穴６ａが設けられている。ピン穴６ｂは、座１のピン穴１ｅとピン１４で連結され、ピン穴６ａは、受台４のピン穴４ｂとピン１１で連結されている。そして、このピン１１には戻しバネ１８が外嵌されている。
【００１７】
接続リンク７は、上側に角穴７ｂが設けられ、下側に長穴７ａが設けられている。
角穴７ｂは、背もたれ２の接続金具２ｂのピン穴２ｃと角ピン１６で連結され、さらに、角ピン１６は、角穴を有するカラー１７を外嵌して受台４の支持穴４ｃに回動可能に取付けられている。
そして、背フレーム２ａは、受台４にピン２ｄで回動可能に連結され、ピン２ｄは、角ピン１６に芯を同一にして嵌合して取付けられている。また、接続金具２ｂは背フレーム２ａが後方へ所定の角度（ここでは、１０度としている）回動すると係止されるようにその形状を決めている。すなわち、図９に示すように、背もたれ２が後傾して１０度になると接続リンク７の上部が接続金具２ｂに当接するようにしている。また、ピン２ｄにはバネ２ｅが設けられている。
長穴７ａは、前リンク５のピン穴５ｂとピン１５で連結されている。
【００１８】
このように構成されたリンクの作動を模式図にした図５で説明する。
座１は、ピン１３とピン１４によって、前リンク５と後リンク６の上端と連結され、受台４は、ピン１２とピン１１によって、前リンク５と後リンク６の下端と連結されている。
背もたれ２は、リンク７と一体に連結され、受台４に角ピン１６で回動可能（カラー１７を介することにより）に支持され、リンク７の下端はピン１５で前リンク５のピン穴５ｂと連結されている。
【００１９】
図５（ａ）は、格納姿勢、すなわち、図４（ａ）の状態を示しており、座１は後部が高く７５度に傾斜し、背もたれ２は、前方へ傾いた状態である。なお、図５（ａ）では見づらくなるので背もたれ２は意図的に後方へ離して描いている。
この状態で、着座すると図５（ｂ）の状態を経由して図５（ｃ）の状態になる。なお、この図は、図４（ｂ）、図４（ｃ）にそれぞれ対応している。
【００２０】
受台４に取付けられたピン１１、ピン１２および角ピン１６の位置は変わらないから、着座しかけると、座１が下方へ押され、前リンク５と後リンク６がピン１２とピン１１を支点として反時計回りに回動し、座１の後部が下降し、前部が前方へ移動する。
そして、前リンク５の回動に伴って、ピン１５の位置が、ピン１２を支点として反時計回りに回動する。ピン１５は、リンク７と連結されているので、リンク７を介して背もたれ２が角ピン１６を支点として時計回りに回動する。
なお、ピン１５は、ピン１２を支点として回動する軌跡と、リンク７の角ピン１６を支点とする回動軌跡とズレが生ずるので、リンク７側を長穴７ａとしている。
図６は、このズレの状態を示すもので、図５（ａ）と（ｂ）の姿勢の変化に対応して、長穴７ａにおけるピン１５の長穴７ａの端部からの距離がＳ１からＳ２へ変化する。
【００２１】
着座した状態で背もたれ２に、体重をかけてもたれると、背もたれ２はピン２ｄを支点として、バネ２ｅに抗して後方へ回動（ベンデイング）する。そして、１０度まで、後方へ背もたれ２が傾くと接続金具２ｂが背フレーム２ａに当接して係止される。
なお、もたれを止めると、背もたれ２はバネ２ｅによって戻される。また、バネ２ｅのバネ力は、大きくしてあるので、連結リンク７の作用で背もたれ２を後傾させる作用には、ほとんど、影響しない。すなわち、背もたれ２は、着座姿勢の位置までの後傾は、スムーズに抵抗なくなされ、ベンデイングは背もたれ２に体重を載せてもたれることにより後傾するようにしている。
【００２２】
なお、バネ２ｅは、ゴムなどの弾性体に置き換えることも可能である。
図１０は、弾性体２ｆを用いた例を示すもので、接続金具２ｂの後方に取付けている。背もたれ２に体重をかけてもたれると、ピン２ｄを支点として、上記の場合と同様、弾性体２ｆに抗して後方へベンデイングする。
【００２３】
前方を向いて着座している場合に離席したときは、戻しバネ１８によって後リンク６が時計回りに回動し、前リンク５が時計回りに回動するとともに背もたれ２が反時計回りに回動し、自動的に格納状態の姿勢になる。座１を左右いずれかに回動させた状態で着座している場合に離席したときは、座１が前方を向くように回動復帰するとともに格納姿勢に移行する。
【００２４】
格納姿勢の状態が着座時の状態に比べて、どの程度になるかは、リンク構成（前リンク５と後リンク６の長さ、座１と受台４の取付位置、背もたれ２の受台４への取付関係）によって変化する。
ここでは、一例として、図１４に示すように、前後幅が１０００ｍｍの制約のある場所に、着座時は、前方に２００ｍｍ、後方に２５０ｍｍのスペースができるようにして設置したものを示す。ほぼ、上記のようにリンク構成したとすると、格納時の姿勢においては、前方に３４０ｍｍ、後方に４１０ｍｍのスペースが形成される。
【００２５】
上記説明した図においては、複雑になるので記載していないが、受台４は脚３に対して前後方向へスライド可能に取付けられている。
これは、図１１に示すように、受台４にガイド４ｅを設け、これに沿ってスライドするスライダー１９を脚３の上端に取付けている。なお、スライダー１９は、バネ（記載していない）によって、不使用時は座１が前方へ位置するようにしている。したがって、座１を後方へ移動させた状態で離席すると、図１２に示すように、座１と背もたれ２が畳まれ、受台４が前方へ復帰する。
【００２６】
また、上記の実施の形態の図面に記載していない肘掛２０について、次に説明する。
肘掛２０は、図１３に示すように、Ｌ字状のステー２２の上端に肘パット２１が取付けられ、下端部には支持具２３が取付けられている。そして、支持具２３は、受台４の前端に形成された肘掛支持穴４ｄに回動可能に取付けられている。この取付部には戻しバネ２４が設けられ、不使用時は背もたれ２に沿って格納される。
【００２７】
次に、リンク機構の別の実施の形態を図７に基づいて説明する。なお、上記の実施の形態の構成要素と同じ部材は同一の符号を用いている。
図７は、上記の実施の形態における図５に対応するもので、図５では連結リンク７を前リンク５に連結したが、これを後リンク６へ連結したものである。
すなわち、座１は、前リンク５と後リンク６の上端と、ピン１３とピン１４によってそれぞれ連結され、下端は、ピン１２とピン１１によって受台４に連結されている。
そして、背もたれ２は、リンク７と一体に連結され受台４に角ピン１６で回動可能に支持されている。また、リンク７はピン３１で後リンク６と連結されている。
【００２８】
このように構成されているので、上記の実施の形態と同様、受台４に取付けられたピン１１、ピン１２および角ピン１６の位置は変わらないから、図７（ａ）の格納姿勢において着座しかけると、座１が下方へ押され、前リンク５と後リンク６がピン１２とピン１１を支点として反時計回りに回動し、座１の後部が下降し、前部が前方へ移動する。
そして、後リンク６の回動に伴って、ピン３１の位置が、ピン１１を支点として反時計回りに回動し、リンク７を介して背もたれ２が角ピン１６を支点として時計回りに回動する。着座者が離席したときは、上記の実施の形態と同様、格納姿勢に移行する。
【００２９】
上記の実施の形態では、遊技場の椅子として説明したが、講義場や会議室など中央支柱の脚を床に固設するものにおいて、広く適用できる。
また、実施形態では、具体的な寸法を示して説明したが、発明をより理解しやすいようにするためであって、これに限定するものでないことはいうまでもない。
【符号の説明】
【００３０】
１  座
１ａ  座フレーム
１ｂ  座マット
１ｃ  ブラケット
１ｄ  ピン穴
１ｅ  ピン穴
２  背もたれ
２ａ  背フレーム
２ｂ  接続金具
２ｃ  ピン穴（角）
２ｄ  ピン
２ｅ  バネ
２ｆ  弾性体
３  脚
４  受台
４ａ  ピン穴
４ｂ  ピン穴
４ｃ  支持穴
４ｄ  肘掛支持穴
４ｅ  ガイド
５  前リンク
５ａ  ピン穴
５ｂ  ピン穴
５ｃ  ピン穴
６  後リンク
６ａ  ピン穴
６ｂ  ピン穴
７  連結リンク
７ａ  長穴
７ｂ  角穴
１１  ピン
１２  ピン
１３  ピン
１４  ピン
１５  ピン
１６  角ピン
１７  カラー
１８  戻しバネ
１９  スライダ
１９ａ  係合部
２０  肘掛
２１  肘パッド
２２  ステー
２３  支持具
２４  戻しバネ
３１  ピン
【図１】
0005891012.tif 000002
【図２】
0005891012.tif 000003
【図３】
0005891012.tif 000004
【図４】
0005891012.tif 000005
【図５】
0005891012.tif 000006
【図６】
0005891012.tif 000007
【図７】
0005891012.tif 000008
【図８】
0005891012.tif 000009
【図９】
0005891012.tif 000010
【図１０】
0005891012.tif 000011
【図１１】
0005891012.tif 000012
【図１２】
0005891012.tif 000013
【図１３】
0005891012.tif 000014
【図１４】
0005891012.tif 000015